(57)【要約】【課題】マルチチャンネル同時記録機能を実現する際に、記録されている番組情報の削除に関する管理を改善して、ループ記録によって順次更新されていく各チャンネルの番組をユーザが容易に把握し得るようにした情報記録装置及び情報記録方法を提供すること。【解決手段】実施の形態によれば、情報記録装置は、第１の記録手段と第２の記録手段と削除手段とを備える。第１の記録手段は、複数のチャンネルで配信される番組のストリームを同時に受信し、チャンネル毎に第１の記録領域にループ記録する。第２の記録手段は、第１の記録領域にストリームが記録された各番組に関する番組情報を受信し、第２の記録領域に記録する。削除手段は、一定時間が経過する毎に、一定時間が経過したときの時刻よりも、第２の記録領域に記録された番組情報の中で番組終了時刻が時間的に前になっている番組の番組情報を削除する。【選択図】    図２
2011182440.tif 000002
【特許請求の範囲】
【請求項１】
複数のチャンネルで配信される番組のストリームを同時に受信し、チャンネル毎に第１の記録領域にループ記録する第１の記録手段と、
前記第１の記録領域にストリームが記録された各番組に関する番組情報を受信し、第２の記録領域に記録する第２の記録手段と、
一定時間が経過する毎に、前記一定時間が経過したときの時刻よりも、前記第２の記録領域に記録された番組情報の中で番組終了時刻が時間的に前になっている番組の番組情報を削除する削除手段とを具備する情報記録装置。
【請求項２】
前記第１の記録領域は、受信するチャンネル数に対応した複数の記録領域を備え、
前記第１の記録手段は、複数のチャンネルで受信した番組のストリームを、チャンネル毎に対応する記録領域に同時にループ記録する請求項１記載の情報記録装置。
【請求項３】
前記第１の記録領域が備える複数の記録領域は、それぞれが同じ一定の記録容量を有する請求項２記載の情報記録装置。
【請求項４】
前記第１の記録領域と前記第２の記録領域とは、共にハードディスク上に形成される請求項１記載の情報記録装置。
【請求項５】
複数のチャンネルで配信される番組のストリームを同時に受信し、チャンネル毎に第１の記録領域にループ記録する工程と、
前記第１の記録領域にストリームが記録された各番組に関する番組情報を受信し、第２の記録領域に記録する工程と、
一定時間が経過する毎に、前記一定時間が経過したときの時刻よりも、前記第２の記録領域に記録された番組情報の中で番組終了時刻が時間的に前になっている番組の番組情報を削除する工程とを有する情報記録方法。
【発明の詳細な説明】
【技術分野】
【０００１】
この発明の実施の形態は、複数のチャンネルで配信される各番組のストリームを同時に記録する、いわゆる、マルチチャンネル同時記録機能を備えた情報記録装置に関する。また、この発明の実施の形態は、上記したマルチチャンネル同時記録機能を実行するための情報記録方法に関する。
【背景技術】
【０００２】
周知のように、近年では、例えばＨＤＤ（hard disk drive）等のデジタル記録機器を内蔵し、テレビジョン放送を受信してその放送番組に係る映像や音声等のストリームを記録可能な情報記録装置が普及している。この種の情報記録装置では、年々、内蔵されるデジタル記録機器の記録容量が飛躍的に大きくなってきている。
【０００３】
そして、このような大容量のデジタル記録機器が内蔵される情報記録装置にあっては、現在、ユーザが複数のチャンネルを指定することにより、その指定された複数のチャンネルでそれぞれ放送される番組のストリームを同時に受信して記録する、いわゆる、マルチチャンネル同時記録機能を備えたものが出現している。
【０００４】
このマルチチャンネル同時記録機能では、デジタル記録機器の記録領域の中に、受信する複数のチャンネルに対応させて、それぞれが同じ一定の記録容量を有する記録領域を確保する。そして、複数のチャンネルを同時に受信して得られる各番組のストリームを、対応する各記録領域にその初期位置から並列的に記録している。
【０００５】
この場合、マルチチャンネル同時記録機能では、番組のストリームを記録する各記録領域それぞれについて、記録領域が満杯になると、再びその記録領域の初期位置から新たなストリームを上書きするという動作を繰り返す、いわゆる、ループ記録を行なうように制御している。
【０００６】
これにより、番組のストリームが記録された各チャンネルそれぞれについては、常に、現在時刻から過去に遡って、最大で記録領域が満杯になる量のストリームが記録されていることになる。このため、ユーザは、現在から所定の時間まで過去に遡って番組を視聴することができるようになり、ユーザにとっての利便性を向上させることができる。
【０００７】
ところで、このようなマルチチャンネル同時記録機能を実現する技術は、まだまだ開発途上にある段階であり、細部に亘って開発の余地が多々残されている。すなわち、番組のストリームを記録する場合、番組内容に係る映像や音声等のストリームを記録するだけでなく、その番組に関する番組情報も記録する必要がある。
【０００８】
この番組情報としては、その番組を検索するための情報や、番組のタイトル、出演者、概要説明、開始時刻、終了時刻等、種々の情報を含んでいる。このため、複数のチャンネルそれぞれについて、番組内容に係るストリームと番組情報との両方を記録する必要があり、両者を合理的に管理することが重要になっている。
【先行技術文献】
【特許文献】
【０００９】
【特許文献１】特開２００９−１６９５９号公報
【発明の概要】
【発明が解決しようとする課題】
【００１０】
マルチチャンネル同時記録機能を実現する際に、記録されている番組情報の削除に関する管理を改善して、ループ記録によって順次更新されていく各チャンネルの番組をユーザが容易に把握し得るようにした情報記録装置及び情報記録方法を提供することを目的とする。
【課題を解決するための手段】
【００１１】
実施の形態によれば、情報記録装置は、第１の記録手段と第２の記録手段と削除手段とを備える。第１の記録手段は、複数のチャンネルで配信される番組のストリームを同時に受信し、チャンネル毎に第１の記録領域にループ記録する。第２の記録手段は、第１の記録領域にストリームが記録された各番組に関する番組情報を受信し、第２の記録領域に記録する。削除手段は、一定時間が経過する毎に、一定時間が経過したときの時刻よりも、第２の記録領域に記録された番組情報の中で番組終了時刻が時間的に前になっている番組の番組情報を削除する。
【図面の簡単な説明】
【００１２】
【図１】実施の形態における情報記録再生機器が有する信号処理系の一例を説明するために示すブロック構成図。
【図２】同実施の形態における情報記録再生機器でハードディスク内に形成されるストリーム記録領域及び番組情報記録領域の一例を説明するために示す図。
【図３】同実施の形態における情報記録再生機器で作成される記録日時と記録領域内アドレスとの対応テーブルの一例を説明するために示す図。
【図４】各チャンネルでループ記録を繰り返した場合にチャンネル毎に過去に遡って再生できる最も古い番組の開始時刻が異なることを説明するために示す図。
【図５】同実施の形態における情報記録再生機器が行なう主要な処理動作の一例を説明するために示すフローチャート。
【図６】同実施の形態における情報記録再生機器によりチャンネル毎に過去に遡って再生できる最も古い番組の開始時刻が揃えられることを説明するために示す図。
【発明を実施するための形態】
【００１３】
以下、実施の形態について図面を参照して詳細に説明する。図１は、この実施の形態で説明する情報記録再生機器１１の信号処理系の一例を示している。この情報記録再生機器１１は、デジタルテレビジョン放送受信機能を有し、受信した放送番組に係る映像や音声等のストリーム及びその番組に関する番組情報等を記録再生することができる。
【００１４】
すなわち、アンテナ１２で受信したデジタルテレビジョン放送信号は、入力端子１３を介して、チューナ処理部１４を構成する複数のチューナ部１４１，１４２，……，１４ｎにそれぞれ供給される。これらのチューナ部１４１〜１４ｎは、それぞれ、入力されたデジタルテレビジョン放送信号から所望のチャンネルの放送信号を選局している。
【００１５】
そして、各チューナ部１４１〜１４ｎで選局された放送信号は、復調処理部１５を構成する複数の復調部１５１，１５２，……，１５ｎに対応的に供給される。これらの復調部１５１〜１５ｎは、それぞれ、入力された放送信号から放送番組に係る映像や音声等の連続したストリームを復調したり、各番組に関する番組情報を復調したりしている。
【００１６】
その後、各復調部１５１〜１５ｎで復調された番組のストリーム及び番組情報等は、デマルチプレクサ１６に供給される。このデマルチプレクサ１６は、入力された複数のストリームから１つを選択し、その選択したストリームを映像ストリームと音声ストリームとに分離している。
【００１７】
そして、デマルチプレクサ１６から出力された映像ストリームは、映像復号部１７に供給される。この映像復号部１７は、入力された映像ストリームに復号化処理を施した後、アナログの映像信号に変換している。この映像復号部１７から出力されたアナログの映像信号は、出力端子１８を介して映像表示部１９に供給され映像表示に供される。
【００１８】
また、上記デマルチプレクサ１６から出力された音声ストリームは、音声復号部２０に供給される。この音声復号部２０は、入力された音声ストリームを復号化した後、アナログの音声信号に変換している。そして、この音声復号部２０から出力されたアナログの音声信号は、出力端子２１を介してスピーカ２２に供給され音声再生に供される。
【００１９】
なお、上記デマルチプレクサ１６は、各復調部１５１〜１５ｎからそれぞれ供給される映像ストリームを、映像表示部１９の画面を複数の領域に分割し、その分割した各領域にそれぞれ異なる映像を同時に表示させる、いわゆる、マルチ画面表示を行なわせるように組み合わせて出力することも可能である。
【００２０】
ここで、この情報記録再生機器１１は、上記した各種の受信動作を含むその全ての動作を制御部２３によって統括的に制御されている。この制御部２３は、ＣＰＵ（central processing unit）２３ａを内蔵しており、図示しないリモートコントローラを含む操作部２４から送出される操作情報を受け、その操作内容が反映されるように各部をそれぞれ制御している。
【００２１】
この場合、制御部２３は、メモリ部２５ｂを利用している。このメモリ部２５ｂは、主として、ＣＰＵ２３ａが実行する制御プログラムを格納したＲＯＭ（read only memory）と、該ＣＰＵ２３ａに作業エリアを提供するためのＲＡＭ（random access memory）と、各種の設定情報及び制御情報等が格納される不揮発性メモリとを有している。
【００２２】
また、この制御部２３には、ディスクドライブ部２５が接続されている。このディスクドライブ部２５は、例えばＤＶＤ（digital versatile disk）等の光ディスク２６を着脱自在とするもので、装着された光ディスク２６に対してデジタルデータの記録再生を行なう機能を有している。
【００２３】
そして、上記制御部２３は、ユーザによる操作部２４の操作に基づいて、上記デマルチプレクサ１６から得られる所定の番組に係る映像ストリームや音声ストリーム等に、暗号化処理や所定の記録フォーマットへの変換処理を施した後、ディスクドライブ部２５に供給して光ディスク２６に記録させるように制御することができる。
【００２４】
また、この制御部２３は、ユーザによる操作部２４の操作に基づいて、ディスクドライブ部２５により光ディスク２６から所定の番組に係る映像ストリームや音声ストリーム等を読み出させ、暗号の解読処理を施した後、デマルチプレクサ１６に供給することによって、以後、上記した映像表示及び音声再生に供させるように制御することができる。
【００２５】
さらに、この制御部２３には、ＨＤＤ（hard disk drive）２７が接続されている。この制御部２３は、ユーザによる操作部２４の操作に基づいて、上記デマルチプレクサ１６から得られる所定の番組に係る映像ストリームや音声ストリーム等に、暗号化処理や所定の記録フォーマットへの変換処理を施した後、ＨＤＤ２７に供給してハードディスク２７ａに記録させるように制御することができる。
【００２６】
また、この制御部２３は、ユーザによる操作部２４の操作に基づいて、ＨＤＤ２７によりハードディスク２７ａから所定の番組に係る映像ストリームや及び音声ストリーム等を読み出させ、暗号の解読処理を施した後、デマルチプレクサ１６に供給することにより、以後、上記した映像表示及び音声再生に供させるように制御することができる。
【００２７】
この場合、上記制御部２３は、復調部１５１〜１５ｎから得られる各番組に関する番組情報を、デマルチプレクサ１６から取得してハードディスク２７ａに記録している。そして、ユーザによる操作部２４の操作に基づいて、所望の番組に関する番組情報をハードディスク２７ａから読み出して映像表示部１９に表示させることができる。
【００２８】
さらに、上記制御部２３は、ユーザの指定した複数のチャンネルに対応する復調部１５１〜１５ｎから得られる番組のストリームをデマルチプレクサ１６から取得し、それぞれの番組のストリームに対して暗号化処理や所定の記録フォーマットへの変換処理を施した後、ＨＤＤ２７に供給してハードディスク２７ａに同時に記録させる、いわゆる、マルチチャンネル同時記録機能を実現させることができる。
【００２９】
この場合も、上記制御部２３は、ハードディスク２７ａにストリームを記録した各チャンネルの番組に関する番組情報をデマルチプレクサ１６から取得し、ＨＤＤ２７に供給してハードディスク２７ａに記録させている。
【００３０】
ここにおいて、上記制御部２３は、番組情報削除制御部２３ｃを備えている。この番組情報削除制御部２３ｃは、詳細は後述するが、マルチチャンネル同時記録機能により、ハードディスク２７ａに記録された番組情報、つまり、ハードディスク２７ａにストリームがループ記録されている番組に関する番組情報を、時間的に古い番組に関するものから所定のタイミングで削除するように機能している。
【００３１】
すなわち、上記情報記録再生機器１１が行なうマルチチャンネル同時記録機能では、図２に示すように、ハードディスク２７ａの記録領域内に、ユーザが指定した複数のチャンネルでそれぞれ放送される番組の映像ストリームや音声ストリーム等を記録するストリーム記録領域２８と、このストリーム記録領域２８にストリームが記録されている各番組に関する番組情報を記録する番組情報記録領域２９とが設けられている。
【００３２】
このうち、ストリーム記録領域２８は、ユーザの指定した複数のチャンネルＣＨ１，ＣＨ２，……，ＣＨｎに対応させて、それぞれが同じ一定の記録容量を有する記録領域２８１，２８２，……，２８ｎを備えている。そして、各チャンネルＣＨ１〜ＣＨｎで同時に受信された番組のストリームは、そのチャンネルに対応する記録領域２８１〜２８ｎにそれぞれ並列的に記録される。
【００３３】
すなわち、複数のチャンネルＣＨ１〜ＣＨｎを同時に受信して得られる番組のストリームは、図２に矢印Ａ１，Ａ２，……，Ａｎで示すように、対応する各記録領域２８１〜２８ｎにその初期位置（図では各記録領域２８１〜２８ｎの上端の位置）から並列的に同時記録される。
【００３４】
そして、各チャンネルＣＨ１〜ＣＨｎに対応する記録領域２８１〜２８ｎそれぞれについて、その記録領域２８１〜２８ｎが満杯になると（図では各記録領域２８１〜２８ｎの下端の位置に達すると）、図２に矢印Ｂ１，Ｂ２，……，Ｂｎで示すように、再びその記録領域２８１〜２８ｎの初期位置に戻って新たなストリームを上書きするという動作を繰り返す、いわゆる、ループ記録が行なわれる。
【００３５】
また、上記番組情報記録領域２９には、各記録領域２８１〜２８ｎにストリームが記録された複数の番組に関する番組情報が記録される。例えば、チャンネルＣＨ１の番組１に関するＣＨ１番組情報１，チャンネルＣＨ１の番組２に関するＣＨ１番組情報２，……，チャンネルＣＨｎの番組ｍに関するＣＨｎ番組情報ｍ等が記録されている。
【００３６】
このように、各チャンネルＣＨ１〜ＣＨｎに対応させて番組のストリームを記録する記録領域２８１〜２８ｎをそれぞれ設け、記録領域２８１〜２８ｎ毎にループ記録を行なわせることにより、各チャンネルＣＨ１〜ＣＨｎ相互間で影響し合うことなく上書きによるストリームの自動削除を行なうことができる。
【００３７】
また、番組情報記録領域２９は、ストリーム記録領域２８と分離することにより、情報記録再生機器１１側で所望の番組情報を任意のタイミングで削除することが可能となる。例えば、個々の番組のストリームに対して他の記録媒体への移動処理等が行なわれた場合に、移動後に必要のなくなった番組情報を個別にハードディスク２７ａから削除することができる。
【００３８】
さらに、上記制御部２３は、図３に示すように、ストリーム記録領域２８内の各チャンネルＣＨ１〜ＣＨｎに対応する記録領域２８１〜２８ｎ（図３ではチャンネルＣＨ１に対応する記録領域２８１のみ図示）にストリームの記録が行なわれている状態で、記録日時を一定間隔で計測し、その計測された記録日時と、その記録日時にストリームが記録された記録領域２８１内のアドレスとを対応させたテーブルを作成している。
【００３９】
図３に示すテーブルでは、２００９年７月２４日１３：００に、チャンネルＣＨ１に対応する記録領域２８１にその初期位置（アドレス０ｘ００００＿００００）からストリームを記録し、以後、１５分おきに記録領域２８１のアドレスを記述してゆき、同日の１９：００に初期位置（アドレス０ｘ００００＿００００）に戻り、この動作が繰り返されていることが分かる。
【００４０】
このようなテーブルを作成することにより、制御部２３は、記録日時が何時までのストリームが、ループ記録による上書きにより自動削除されたかを判別することができる。このため、１つの番組に係るストリームが上書きにより完全に削除されたと判断された状態で、その番組に関する番組情報を削除することができる。
【００４１】
ところで、上記ストリーム記録領域２８内に設けられた複数の記録領域２８１〜２８ｎは、それぞれが同じ一定の記録容量を有しており、それぞれの初期位置から同時にストリームのループ記録が開始されることになる。しかしながら、各チャンネルＣＨ１〜ＣＨｎそれぞれ、または、同じチャンネルでも放送番組毎に、ストリームのビットレートにばらつきが生じている。
【００４２】
このため、複数の記録領域２８１〜２８ｎについて、ループ記録による上書きでのストリームの自動削除のみを繰り返し行なっていると、記録領域２８１〜２８ｎ毎に、現在記録されている再生可能なストリームの中で最も過去に記録されたストリームの再生時刻がまちまちになる。
【００４３】
具体的に言えば、図４は、複数（図示の場合は７つ）のチャンネルＣＨ１〜ＣＨ７について、それぞれ放送番組に係るストリームのループ記録を繰り返した場合における、各チャンネルＣＨ１〜ＣＨ７に対応する記録領域２８１〜２８７内のある時点での再生可能なストリームの記録状況を示している。図４では、一度記録された後、次のループ記録で上書きされずに残っている再生可能なストリームを斜線部分で示している。
【００４４】
図４から明らかなように、チャンネルＣＨ１，ＣＨ３，ＣＨ４，ＣＨ６，ＣＨ７では、午前９：３０より後に再生可能なストリームが残っており、現在より午前９：３０まで過去に遡って番組を再生することができる。これに対し、チャンネルＣＨ２では午前１０：００より後に再生可能なストリームが残っており、現在より午前１０：００まで過去に遡って番組を再生することができる。また、チャンネルＣＨ５では午前９：００より後に再生可能なストリームが残っており、現在より午前９：００まで過去に遡って番組を再生することができる。
【００４５】
このように、チャンネルＣＨ１〜ＣＨｎ毎に、過去に遡って再生できる最も古い番組の開始時刻が異なってしまうことになり、ユーザがマルチチャンネル同時記録機能で記録した各チャンネルＣＨ１〜ＣＨｎの番組について、それぞれ何時まで過去に遡って再生することができるのかを把握し辛くなっている。
【００４６】
そこで、この実施の形態では、上記した番組情報削除制御部２３ｃにより、マルチチャンネル同時記録機能により番組情報記録領域２９に記録された番組情報を、時間的に古い番組に関するものから一定の間隔をおいて削除するように制御している。ただし、削除する番組情報に対応する番組のストリームが、その番組情報を削除する時間の前後に跨って記録されている場合には、当該番組のストリームが上書きにより完全に自動削除されるまで待ってからその番組情報を削除するようにしている。
【００４７】
図５は、上記した番組情報削除制御部２３ｃの処理動作を詳細に説明するためのフローチャートを示している。すなわち、処理が開始（ステップＳ１）されると、番組情報削除制御部２３ｃは、ステップＳ２で、番組情報を削除する時刻が設定されたか否かを判別する。この番組情報を削除する時刻の設定は、ユーザが操作部２４を操作することにより、例えば現在より過去の特定の時刻を設定し、その時刻から一定時間が経過する毎の時刻として設定される。例えば、午前９：００から１時間が経過する毎（この場合、毎時００分）のように設定される。
【００４８】
そして、番組情報を削除する時刻が設定されたと判断された場合（ＹＥＳ）、番組情報削除制御部２３ｃは、ステップＳ３で、番組情報の削除時刻（この場合、午前９：００から毎時００分）に達したか否かを判別し、削除時刻に達したと判断された場合（ＹＥＳ）、チャンネルＣＨ１〜ＣＨｎ別に以下の処理を並列的に実行する。
【００４９】
すなわち、番組情報削除制御部２３ｃは、ステップＳ４１で、チャンネルＣＨ１について番組情報記録領域２９に記録されている全ての番組情報に記述された番組の終了時刻を検出する。その後、番組情報削除制御部２３ｃは、ステップＳ５１で、各番組の終了時刻がステップＳ３で到達したと判断された番組情報の削除時刻よりも前になっているか否かを判別する。
【００５０】
そして、番組情報削除制御部２３ｃは、ステップＳ６１で、番組の終了時刻が番組情報の削除時刻よりも前になっていると判断（ＹＥＳ）された番組情報を、番組情報記録領域２９から削除して、処理を終了（ステップＳ７）する。また、番組情報削除制御部２３ｃは、上記ステップＳ５１で番組の終了時刻が番組情報の削除時刻よりも前になっていないと判断（ＮＯ）された番組情報については、そのまま番組情報記録領域２９に残して、上記ステップＳ２の処理に戻される。
【００５１】
また、番組情報削除制御部２３ｃは、ステップＳ４２で、チャンネルＣＨ２について番組情報記録領域２９に記録されている全ての番組情報に記述された番組の終了時刻を検出する。その後、番組情報削除制御部２３ｃは、ステップＳ５２で、各番組の終了時刻がステップＳ３で到達したと判断された番組情報の削除時刻よりも前になっているか否かを判別する。
【００５２】
そして、番組情報削除制御部２３ｃは、ステップＳ６２で、番組の終了時刻が番組情報の削除時刻よりも前になっていると判断（ＹＥＳ）された番組情報を、番組情報記録領域２９から削除して、処理を終了（ステップＳ７）する。また、番組情報削除制御部２３ｃは、上記ステップＳ５２で番組の終了時刻が番組情報の削除時刻よりも前になっていないと判断（ＮＯ）された番組情報については、そのまま番組情報記録領域２９に残して、上記ステップＳ２の処理に戻される。
【００５３】
以下同様に、番組情報削除制御部２３ｃは、ステップＳ４ｎで、チャンネルＣＨｎについて番組情報記録領域２９に記録されている全ての番組情報に記述された番組の終了時刻を検出する。その後、番組情報削除制御部２３ｃは、ステップＳ５ｎで、各番組の終了時刻がステップＳ３で到達したと判断された番組情報の削除時刻よりも前になっているか否かを判別する。
【００５４】
そして、番組情報削除制御部２３ｃは、ステップＳ６ｎで、番組の終了時刻が番組情報の削除時刻よりも前になっていると判断（ＹＥＳ）された番組情報を、番組情報記録領域２９から削除して、処理を終了（ステップＳ７）する。また、番組情報削除制御部２３ｃは、上記ステップＳ５ｎで番組の終了時刻が番組情報の削除時刻よりも前になっていないと判断（ＮＯ）された番組情報については、そのまま番組情報記録領域２９に残して、上記ステップＳ２の処理に戻される。
【００５５】
上記した番組情報削除制御部２３ｃの処理動作によれば、各チャンネルＣＨ１〜ＣＨｎについて、番組情報記録領域２９に記録されている全番組情報に記述された番組の終了時刻を検出し、番組の終了時刻が予め設定された番組情報の削除時刻よりも前になっている番組情報を番組情報記録領域２９から削除するようにしている。
【００５６】
要するに、番組の終了時刻が予め設定された削除時刻よりも前になっている番組情報を削除することにより、その削除時刻よりも時間的に前に再生される番組のストリームが、まだ上書きによる自動削除がなされずに残っていたとしても、そのストリームは番組情報 が削除されているために再生することができなくなる。
【００５７】
このため、過去に遡って再生可能となる最も古い番組の開始時刻を、番組情報の削除時刻を基準として揃えることができるようになり、ユーザがマルチチャンネル同時記録機能で記録した各チャンネルＣＨ１〜ＣＨｎの番組について、それぞれ何時まで過去に遡って再生することができるのかを容易に把握することができるようになる。
【００５８】
具体的に言えば、図６は、マルチチャンネル同時記録された複数（図示の場合は７つ）のチャンネルＣＨ１〜ＣＨ７について、午前１０：００までに終了する番組の番組情報が削除された場合における、再生可能なストリームの記録状況を斜線で示している。図６から明らかなように、各チャンネルＣＨ１〜ＣＨ７について、それぞれ過去に遡って再生可能な最も古い番組の時刻が、毎時００分（この場合、午前１０：００）に揃えられることになる。
【００５９】
また、午前９：００に開始され午前１１：００に終了する２時間番組のように、削除時刻（午前１０：００）の前に開始され削除時刻の後に終了する番組に対応する番組情報については、そこに記述されている終了時刻が午前１１：００になっているため、午前１０：００の時点では削除されず、削除時刻が午前１１：００になったときに削除されることになる。
【００６０】
ここで、上記した実施の形態では、デジタルテレビジョン放送を受信する場合を例にして説明したが、これに限らず、例えば、ケーブルテレビジョンやインターネット等のネットワークにより、複数のチャンネルで番組のストリームや番組情報を配信するシステムに対しても、この発明を適用することができることはもちろんである。
【００６１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００６２】
１１…情報記録再生機器、１２…アンテナ、１３…入力端子、１４…チューナ処理部、１４１〜１４ｎ…チューナ部、１５…復調処理部、１５１〜１５ｎ…復調部、１６…デマルチプレクサ、１７…映像復号部、１８…出力端子、１９…映像表示部、２０…音声復号部、２１…出力端子、２２…スピーカ、２３…制御部、２３ａ…ＣＰＵ、２３ｂ…メモリ部、２３ｃ…番組情報削除制御部、２４…操作部、２５…ディスクドライブ部、２６…光ディスク、２７…ＨＤＤ、２７ａ…ハードディスク、２８…ストリーム記録領域、２８１〜２８ｎ…記録領域、２９…番組情報記録領域。
【図１】
2011182440.tif 000003
【図２】
2011182440.tif 000004
【図３】
2011182440.tif 000005
【図４】
2011182440.tif 000006
【図５】
2011182440.tif 000007
【図６】
2011182440.tif 000008
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
複数のチャンネルで配信される番組のストリームを同時に受信し、チャンネル毎に第１の記録領域にループ記録する第１の記録手段と、
前記第１の記録領域にストリームが記録された各番組に関する番組情報を受信し、第２の記録領域に記録する第２の記録手段と、
現在よりも過去の特定の時刻を設定し、この設定された時刻から一定時間が経過する毎に、この経過した時刻よりも、前記第２の記録領域に記録された番組情報の中で番組終了時刻が時間的に前になっている番組の番組情報を削除するもので、前記第１の記録領域に番組のストリームがループ記録された各チャンネルについて、それぞれ再生可能となる最も古い番組の時刻を毎時００分に揃えるように制御する削除手段とを具備する情報記録装置。
【請求項２】
前記第１の記録領域は、受信するチャンネル数に対応した複数の記録領域を備え、
前記第１の記録手段は、複数のチャンネルで受信した番組のストリームを、チャンネル毎に対応する記録領域に同時にループ記録する請求項１記載の情報記録装置。
【請求項３】
前記第１の記録領域が備える複数の記録領域は、それぞれが同じ一定の記録容量を有する請求項２記載の情報記録装置。
【請求項４】
前記第１の記録領域と前記第２の記録領域とは、共にハードディスク上に形成される請求項１記載の情報記録装置。
【請求項５】
複数のチャンネルで配信される番組のストリームを同時に受信し、チャンネル毎に第１の記録領域にループ記録する工程と、
前記第１の記録領域にストリームが記録された各番組に関する番組情報を受信し、第２の記録領域に記録する工程と、
現在よりも過去の特定の時刻を設定し、この設定された時刻から一定時間が経過する毎に、この経過した時刻よりも、前記第２の記録領域に記録された番組情報の中で番組終了時刻が時間的に前になっている番組の番組情報を削除するもので、前記第１の記録領域に番組のストリームがループ記録された各チャンネルについて、それぞれ再生可能となる最も古い番組の時刻を毎時００分に揃えるように制御する工程とを有する情報記録方法。
【手続補正２】
【補正対象書類名】明細書
【補正対象項目名】００１１
【補正方法】変更
【補正の内容】
【００１１】
実施の形態によれば、情報記録装置は、第１の記録手段と第２の記録手段と削除手段とを備える。第１の記録手段は、複数のチャンネルで配信される番組のストリームを同時に受信し、チャンネル毎に第１の記録領域にループ記録する。第２の記録手段は、第１の記録領域にストリームが記録された各番組に関する番組情報を受信し、第２の記録領域に記録する。削除手段は、現在よりも過去の特定の時刻を設定し、この設定された時刻から一定時間が経過する毎に、この経過した時刻よりも、第２の記録領域に記録された番組情報の中で番組終了時刻が時間的に前になっている番組の番組情報を削除するもので、第１の記録領域に番組のストリームがループ記録された各チャンネルについて、それぞれ再生可能となる最も古い番組の時刻を毎時００分に揃えるように制御する。
【手続補正３】
【補正対象書類名】図面
【補正対象項目名】図５
【補正方法】変更
【補正の内容】
【図５】
2011182440.tif 000009